(57)【要約】【課題】内部にテスト光の伝播空間がない保護窓であっても動作確認テスタを取り付けてレーザ光検知センサの動作確認を可能とする。【解決手段】工作機械のカバーに設けた保護窓２０に、テスト光の発光部１１を有する動作確認テスタ１０を設けたレーザ光検知センサ１０を取り付けるための構造であって、保護窓２０とレーザ光検知センサ１との間にスペーサ６を介在させると共に、スペーサ６の内部に、保護窓２０とレーザ光検知センサ１との間への介在状態で動作確認テスタ１０の発光部１１からのテスト光Ｌがレーザ光検知センサ１の受光部２に到達可能な伝播空間Ｓを形成している。【選択図】図１
2020066032.tif 000002
【特許請求の範囲】
【請求項１】
工作機械のカバーに設けた保護窓に、テスト光の発光部を有する動作確認テスタを設けたレーザ光検知センサを取り付けるための構造であって、
前記保護窓と前記レーザ光検知センサとの間にスペーサを介在させると共に、前記スペーサの内部に、当該介在状態で前記動作確認テスタの前記発光部からのテスト光が前記レーザ光検知センサの受光部に到達可能な伝播空間を形成していることを特徴とする工作機械における保護窓へのレーザ光検知センサの取付構造。
【請求項２】
前記スペーサは、前記介在状態で前記発光部と前記受光部とを囲んで前記伝播空間を形成する枠体であることを特徴とする請求項１に記載の工作機械における保護窓へのレーザ光検知センサの取付構造。
【請求項３】
前記スペーサの内側には、前記保護窓へ前記レーザ光検知センサを取り付けるためのボルトの貫通部が複数形成され、前記発光部は前記ボルトに代えて何れかの前記貫通部に合わせて配置されることを特徴とする請求項２に記載の工作機械における保護窓へのレーザ光検知センサの取付構造。
【請求項４】
工作機械のカバーに設けた保護窓に、テスト光の発光部を有する動作確認テスタを設けたレーザ光検知センサを取り付けるために、前記保護窓と前記レーザ光検知センサと間に介在されるレーザ光検知センサ取付用スペーサであって、
当該介在状態で前記動作確認テスタの前記発光部からのテスト光が前記レーザ光検知センサの受光部に到達可能な伝播空間を内部に備えていることを特徴とする工作機械における保護窓へのレーザ光検知センサ取付用スペーサ。
【発明の詳細な説明】
【技術分野】
【０００１】
本発明は、レーザ加工が可能な工作機械において、カバーに設けられる保護窓にレーザ光検知センサを取り付ける構造及びレーザ光検知センサ取付用スペーサに関する。
【背景技術】
【０００２】
レーザ加工ユニット等を備えて金属積層や焼入れ等のレーザ加工が可能な工作機械（例えば特許文献１参照）では、工作機械からのレーザ光の漏洩を検知するレーザ光検知センサが設けられる。このレーザ光検知センサの取付構造の一例を図３に示す。ここでは所定の空間を隔てた２枚の板金３１Ａ，３１Ｂからなるカバー３０の外側に、レーザ光検知センサ１をボルト３で固定し、レーザ光検知センサ１の中央に設けた受光部２を外側の板金３１Ｂを貫通させて空間内に突出させている。
このレーザ光検知センサ１には、正常に動作しているか否かを確認するために、動作確認テスタ１０が設けられている。この動作確認テスタ１０は、レーザ光検知センサ１を外側から貫通して保持されて、テスト光の発光部１１を外側の板金３１Ｂ越しにカバー３０内の空間に臨ませた状態で取り付けられる。よって、図示しないテストボタンの操作により発光部１１から照射されたテスト光Ｌは、矢印に示すようにカバー３０内で反射を繰り返し、その反射光Ｌ’が受光部２に到達するため、レーザ光検知センサ１の動作確認を行うことができる。
【先行技術文献】
【特許文献】
【０００３】
【特許文献１】特開２０１８−７９５４０号公報
【発明の概要】
【発明が解決しようとする課題】
【０００４】
一方、図４に示すように、レーザ光検知センサ１が、半透明のアクリル板等からなる前後２枚の保護層２１Ａ，２１Ｂと、両保護層２１Ａ，２１Ｂ間に挟まれて透明なアクリル板等からなる中間層２２とからなる３層構造の保護窓２０にボルト３で取り付けられる場合、ここでは受光部２の位置を内側の保護層２１Ａに合わせるために、外側の保護層２１Ｂとレーザ光検知センサ１との間に板状のスペーサ４が介在され、内側の保護層２１Ａの内側には、ボルト３をねじ込むための取付板５が設けられる。
この取付構造の場合、図５に示すようにボルト３の位置に動作確認テスタ１０を取り付けても、保護窓２０内には発光部１１からのテスト光Ｌが反射して受光部２まで伝播する空間がないため、レーザ光検知センサ１の動作確認を行うことができなくなってしまう。
【０００５】
そこで、本発明は、内部にテスト光の伝播空間がない保護窓であっても動作確認テスタを取り付けてレーザ光検知センサの動作確認を行うことができる工作機械における保護窓へのレーザ光検知センサの取付構造及び取付用スペーサを提供することを目的としたものである。
【課題を解決するための手段】
【０００６】
上記目的を達成するために、請求項１に記載の発明は、工作機械のカバーに設けた保護窓に、テスト光の発光部を有する動作確認テスタを設けたレーザ光検知センサを取り付けるための構造であって、
前記保護窓と前記レーザ光検知センサとの間にスペーサを介在させると共に、前記スペーサの内部に、当該介在状態で前記動作確認テスタの前記発光部からのテスト光が前記レーザ光検知センサの受光部に到達可能な伝播空間を形成していることを特徴とする。
請求項２に記載の発明は、請求項１の構成において、前記スペーサは、前記介在状態で前記発光部と前記受光部とを囲んで前記伝播空間を形成する枠体であることを特徴とする。
請求項３に記載の発明は、請求項２の構成において、前記スペーサの内側には、前記保護窓へ前記レーザ光検知センサを取り付けるためのボルトの貫通部が複数形成され、前記発光部は前記ボルトに代えて何れかの前記貫通部に合わせて配置されることを特徴とする。
上記目的を達成するために、請求項４に記載の発明は、工作機械のカバーに設けた保護窓に、テスト光の発光部を有する動作確認テスタを設けたレーザ光検知センサを取り付けるために、前記保護窓と前記レーザ光検知センサと間に介在されるレーザ光検知センサ取付用スペーサであって、
当該介在状態で前記動作確認テスタの前記発光部からのテスト光が前記レーザ光検知センサの受光部に到達可能な伝播空間を内部に備えていることを特徴とする。
【発明の効果】
【０００７】
本発明によれば、動作確認テスタの発光部からのテスト光がレーザ光検知センサの受光部に到達可能な伝播空間を内部に形成するスペーサの採用により、内部にテスト光の伝播空間がない保護窓であっても動作確認テスタを取り付けてレーザ光検知センサの動作確認を行うことができる。
【図面の簡単な説明】
【０００８】
【図１】保護窓にレーザ光検知センサを取り付けた構造を示す説明図である。
【図２】図１のＡ−Ａ線断面図である。
【図３】従来のカバーにレーザ光検知センサを取り付けた構造を示す説明図である。
【図４】保護窓にレーザ光検知センサを取り付けた構造を示す説明図である。
【図５】図４のレーザ光検知センサに動作確認テスタを取り付けた状態の説明図である。
【発明を実施するための形態】
【０００９】
以下、本発明の実施の形態を図面に基づいて説明する。
図１は、図４に示した保護窓２０へレーザ光検知センサ１を取り付けた構造の一例を示す説明図で、保護窓２０及びレーザ光検知センサ１等の構成は図４，５と同じであるため、同じ構成部には同じ符号を付して重複する説明を省略する。
ここでは外側の保護層２１Ｂとレーザ光検知センサ１との間に設けられるスペーサの構造が図４，５とは異なっている。このレーザ光検知センサ取付用スペーサとしてのスペーサ６は、図２に示すように、内側が中空となる横長矩形状の枠体で、内側の四隅には、４本のボルト３，３・・を位置決めして貫通させるための円形状の貫通部７，７・・が、内側の空間との連通状態で形成されている。
【００１０】
この取付構造においては、何れか１つの貫通部７の位置に、ボルト３に代えて動作確認テスタ１０を取り付けて、発光部１１を貫通部７に臨ませている。これによりスペーサ６内で発光部１１と受光部２とが連通し、スペーサ６内には、発光部１１からのテスト光Ｌが矢印で示すように反射を繰り返し、その反射光Ｌ’が受光部２に到達できる伝播空間Ｓが形成される。
【００１１】
このように、上記形態のレーザ光検知センサ１の取付構造及びスペーサ６によれば、スペーサ６の内部に、保護窓２０とレーザ光検知センサ１との間への介在状態で動作確認テスタ１０の発光部１１からのテスト光Ｌがレーザ光検知センサ１の受光部２に到達可能な伝播空間Ｓを形成しているので、内部にテスト光Ｌの伝播空間がない保護窓２０であっても動作確認テスタ１０を取り付けてレーザ光検知センサ１の動作確認を行うことができる。
【００１２】
特にここでは、スペーサ６を、保護窓２０とレーザ光検知センサ１との間への介在状態で発光部１１と受光部２とを囲んで伝播空間Ｓを形成する枠体としているので、スペーサ６の取付と共に伝播空間Ｓを簡単に形成することができる。
また、スペーサ６の内側には、保護窓２０へレーザ光検知センサ１を取り付けるためのボルト３の貫通部７が複数形成され、発光部１１はボルト３に代えて何れかの貫通部７に合わせて配置されるので、貫通部７を利用して発光部１１を容易に位置決め可能となる。
【００１３】
なお、スペーサに設けた貫通部への動作確認テスタの取り付け位置は上記形態に限らず、他の貫通部を利用してもよい。また、貫通部を利用せずに受光部と連通する位置へ動作確認テスタを取り付けることもできる。
スペーサの形状も、伝播空間は内側に広く取る形態に限らず、少なくとも動作確認テスタの発光部とレーザ光検知センサの受光部とを連通させる空間が内部に形成されていれば、伝播空間は上記形態より小さくしてもよい。また、スペーサの厚み方向に貫通する伝播空間でなく、片面に形成した凹部で発光部と受光部とを連通させる伝播空間を形成することもできる。スペーサの外形状も矩形状以外に円形状等の他の形状も採用できる。
さらに、保護窓の構造も上記形態に限らず、２層構造や４層構造等であっても本発明の取付構造及びスペーサの採用は可能である。
【符号の説明】
【００１４】
１・・レーザ光検知センサ、２・・受光部、３・・ボルト、６・・スペーサ、７・・貫通部、１０・・動作確認テスタ、１１・・発光部、２０・・保護窓、２１Ａ，２１Ｂ・・保護層、２２・・中間層、３０・・カバー、Ｌ・・テスト光、Ｌ’・・反射光、Ｓ・・伝播空間。
【図１】
2020066032.tif 000003
【図２】
2020066032.tif 000004
【図３】
2020066032.tif 000005
【図４】
2020066032.tif 000006
【図５】
2020066032.tif 000007